(57)【要約】【課題】ユーザにとって使い勝手の良い測定装置を提供する。【解決手段】装置本体に装着されたモジュールの中から指定されるモジュールの設定画面２１を表示画面５ａに表示するとともに、表示画面５ａに表示される設定画面２１の複数のパラメータの中から特定のパラメータを識別ラベル２２にて識別表示する。複数のモジュールにまたがるパラメータが設定可能なユーザカスタマイズ画面に対し、識別ラベル２２にて識別表示された特定のパラメータから選択された特定のパラメータを追加パラメータとして追加する。【選択図】図３
2018072263.tif 000002
【特許請求の範囲】
【請求項１】
それぞれに設定画面（２１）が存在し、測定内容に応じて装置本体（１１）に選択的に着脱可能に装着される複数のモジュール（２）を備えた測定装置（１）において、
前記装置本体に装着されたモジュールの中から指定されるモジュールの設定画面を表示画面（５ａ）に表示し、該表示画面に表示される設定画面の複数のパラメータの中から特定のパラメータを識別表示するとともに、前記複数のモジュールにまたがるパラメータが設定可能なユーザカスタマイズ画面（２３）に対し、前記識別表示された特定のパラメータから選択された特定のパラメータを追加パラメータとして追加する制御部（６）を備えたことを特徴とする測定装置。
【請求項２】
前記特定のパラメータが追加パラメータとして前記ユーザカスタマイズ画面（２３）に追加されたときに、その旨を通知するトーストメッセージ（２４）を表示することを特徴とする請求項１記載の測定装置。
【請求項３】
それぞれに設定画面（２１）が存在し、測定内容に応じて装置本体（１１）に選択的に着脱可能に装着される複数のモジュール（２）を備えた測定装置（１）を用いたパラメータ設定方法において、
前記装置本体に装着されたモジュールの中から指定されるモジュールの設定画面を表示画面（５ａ）に表示するステップと、
前記表示画面に表示される設定画面の複数のパラメータの中から特定のパラメータを識別表示するステップと、
前記複数のモジュールにまたがるパラメータが設定可能なユーザカスタマイズ画面（２３）に対し、前記識別表示された特定のパラメータから選択された特定のパラメータを追加パラメータとして追加するステップとを含むことを特徴とする測定装置を用いたパラメータ設定方法。
【請求項４】
前記特定のパラメータが追加パラメータとして前記ユーザカスタマイズ画面（２３）に追加されたときに、その旨を通知するトーストメッセージ（２４）を表示するステップを含むことを特徴とする請求項３記載の測定装置を用いたパラメータ設定方法。
【発明の詳細な説明】
【技術分野】
【０００１】
本発明は、それぞれに設定画面が存在し、測定内容に応じて装置本体に選択的に着脱可能に装着される複数のモジュールを備えた測定装置及び該装置を用いたパラメータ設定方法に関する。
【背景技術】
【０００２】
近年の各種ディジタル通信装置は、利用者数の増加やマルチメディア通信の普及に伴い、より大容量の伝送能力が求められており、これらのディジタル通信装置におけるディジタル信号の品質評価の指標の一つとして、受信データのうち符号誤りが発生した数と受信データの総数との比較として定義されるビット誤り率（以下、誤り率と略称する）が知られている。
【０００３】
このため、所望のディジタル通信装置を被測定物とし、この被測定物の誤り率を測定する場合には、例えば、下記特許文献１に開示されるような誤り率測定装置が測定装置として用いられる。この種の誤り率測定装置では、被測定物が電気的なストレスをどの程度許容できるかを測定するため、パターン発生器から既知パターンの電気的ストレス信号をテスト信号として印可し、このテスト信号を被測定物内部又は外部でループバックし、エラー検出器で受信してテスト信号との比較により、テスト信号の印可量に対してエラーの有無を測定するジッタ耐力測定を行っている。
【０００４】
そして、この種の誤り率を測定する誤り率測定装置としては、規格に基づく被測定物の各種試験を行うため、装置本体に備えた複数のスロットに対して着脱可能なモジュール構成とし、測定内容に応じて複数のモジュールの増設、取り外し、組み換えを自由に行い、様々な形態で被測定物の測定を行うことができるものが知られている。
【０００５】
なお、上述した誤り率測定装置のように、複数のモジュールの増設、取り外し、組み換えが自由に行える測定装置としては、例えば下記特許文献２に開示されるものが知られている。
【先行技術文献】
【特許文献】
【０００６】
【特許文献１】特開２００７−２７４４７４号公報
【特許文献２】特開２０１５−１７６５８１号公報
【発明の概要】
【発明が解決しようとする課題】
【０００７】
ところで、上述したモジュール構成の測定装置では、それぞれのモジュールが別々の機能を有しており、モジュール毎の画面が存在する。例えば誤り率測定装置の場合には、ジッタモジュールによるジッタ設定の表示、エンファシスモジュールによるエンファシス設定の表示、誤り測定モジュールによる誤り率測定結果の表示等がそれぞれ異なる画面になっている。このため、複数のモジュールのパラメータを確認しながら設定を変更するためには、その都度画面を切り替える必要があった。
【０００８】
そこで、上述した問題を解決するため、複数のモジュールにまたがるパラメータの設定や参照が可能なユーザカスタマイズ画面を予め用意することが考えられる。図６はユーザカスタマイズ画面５１の一例を示す図である。図６のユーザカスタマイズ画面５１では、画面の左側に所定のモジュールの機能が割り当てられた複数の機能ボタン５２が配置され、これら複数の機能ボタン５２のそれぞれに対応して右側にパラメータ値を入力するための入力ボックス５３が表示される。
【０００９】
さらに説明すると、図６の例では、ユーザカスタマイズ画面５１に６つの機能ボタン５２ａ，５２ｂ，５２ｃ，５２ｄ，５２ｅ，６２ｆが縦に並べて配置され、機能ボタン５２ａに「１：４：１  ＭＵ１８１０４０Ａ  Ｄａｔａ  Ｉｎｐｕｔ」、機能ボタン５２ｂに「１：３：１  ＭＵ１８１０２０Ａ  Ｏｕｔｐｕｔ  Ｏｆｆｓｅｔ」、機能ボタン５２ｃに「１：３：１  ＭＵ１８１０２０Ａ  Ｄａｔａ／Ｘ  Ｄａｔａ  ＯＮ／ＯＦＦ」、機能ボタン５２ｄに「１：４：１  ＭＵ１８１０４０Ａ  Ｍａｒｋ  Ｒａｔｉｏ」、機能ボタン５２ｅに「１：４：１  ＭＵ１８１０４０Ａ  ＥＣ  Ｉｎｓｅｒｔｉｏｎ」が割り当てられている。また、機能ボタン５２ａ，５２ｂ，５２ｃ，５２ｄには、それぞれに対応してパラメータ値を入力するための入力ボックス５３ａ，５３ｂ，５３ｃ，５３ｄが表示される。なお、機能が割り当てられていない空きの機能ボタン５２ｆは「Ｉｔｅｍｓ」と表示される。
【００１０】
このユーザカスタマイズ画面５１では、空きの機能ボタン５２ｆの「Ｉｔｅｍｓ」に所望のモジュールの機能を割り当てる場合、機能ボタン５２ｆの「Ｉｔｅｍｓ」をクリックすると、図７（ａ）に示すような機能選択画面５４が表示され、割り当て対象となる機能が選択できるようになっている。機能選択画面５４では、「Ｍｏｄｕｌｅｓ」の入力ボックス５５から所望のモジュールを選択し、機能一覧５６から割り当て対象となる機能を選択する。そして、割り当て対象となる機能を選択して「ＯＫ」の確定ボタン５７をクリックすると、選択した機能が機能ボタン５２ｆの「Ｉｔｅｍｓ」に割り当てられる。図７（ａ）の例では、「Ｍｏｄｕｌｅｓ」の入力ボックス５５から「１：２：１  ＭＵ１８１０００Ａ」を選択し、機能一覧５６から「Ｃｅｎｔｅｒ  Ｆｒｅｑｕｅｎｃｙ」を割り当て対象の機能として選択して確定したときの表示状態を示している。
【００１１】
ここで、空きの機能ボタン５２ｆに割り当てられるモジュールの実際の設定画面５８の部分拡大図を図７（ｂ）に示す。図７（ｂ）の設定画面５８では、「Ｏｐｅｒａｔｉｏｎ  Ｆｒｅｑｕｅｎｃｙ」、「Ｒｅｆｅｒｅｎｃｅ  Ｃｌｏｃｋ」がパラメータ項目として表示される。また、設定画面５８には、パラメータ項目の各パラメータ（「Ｏｐｅｒａｒａｔｉｏｎ」、「Ｃｅｎｔｅｒ  Ｆｒｅｑｕｅｎｃｙ」、「Ｏｆｆｓｅｔ」、「Ｓｏｕｒｃｅ」）に対応してパラメータ値を入力するための入力ボックスが表示される。なお、点線で囲まれたパラメータ「Ｃｅｎｔｅｒ  Ｆｒｅｑｕｅｎｃｙ」と「Ｏｆｆｓｅｔ」は、図７（ａ）の機能一覧５６の「Ｃｅｎｔｅｒ  Ｆｒｅｑｕｅｎｃｙ」と「Ｃｅｎｔｅｒ  Ｆｒｅｑｕｅｎｃｙ  Ｏｆｆｓｅｔ」とそれぞれ対応している。
【００１２】
そして、機能選択画面５４でモジュールと機能を選択して確定すると、図８に示すように、図６の空きの機能ボタン５２ｆの「Ｉｔｅｍｓ」に対し、機能選択画面５４で選択されたモジュールの機能が割り当てられる。図８の例では、図６の空きの機能ボタン５２ｆの「Ｉｔｅｍｓ」に対し、図７の機能選択画面５４で選択された「１：２：１  ＭＵ１８１０００Ａ」が割り当てられ、この「１：２：１  ＭＵ１８１０００Ａ」の機能ボタン５２ｆに対応してパラメータ値を入力するための入力ボックス５３ｆが表示される。
【００１３】
しかしながら、上述したユーザカスタマイズ画面５１では、機能ボタン５２に割り当てる機能の選択を図７（ａ）の機能選択画面５４で行うため、機能選択画面５４で割り当てられた機能のパラメータが図７（ｂ）の実際のモジュールの設定画面５８のどのパラメータを指しているのかが認識しずらく、複数のモジュールにまたがるパラメータの設定を行う際に、ユーザにとって使い勝手が悪いという問題がある。
【００１４】
そこで、本発明は上記問題点に鑑みてなされたものであって、複数のモジュールにまたがるパラメータを設定する際に、ユーザにとって使い勝手の良い測定装置および該装置を用いたパラメータ設定方法を提供することを目的としている。
【課題を解決するための手段】
【００１５】
上記目的を達成するため、本発明の請求項１に記載された測定装置は、それぞれに設定画面２１が存在し、測定内容に応じて装置本体１１に選択的に着脱可能に装着される複数のモジュール２を備えた測定装置１において、
前記装置本体に装着されたモジュールの中から指定されるモジュールの設定画面を表示画面５ａに表示し、該表示画面に表示される設定画面の複数のパラメータの中から特定のパラメータを識別表示するとともに、前記複数のモジュールにまたがるパラメータが設定可能なユーザカスタマイズ画面２３に対し、前記識別表示された特定のパラメータから選択された特定のパラメータを追加パラメータとして追加する制御部６を備えたことを特徴とする。
【００１６】
請求項２に記載された測定装置は、請求項１の測定装置において、
前記特定のパラメータが追加パラメータとして前記ユーザカスタマイズ画面２３に追加されたときに、その旨を通知するトーストメッセージ２４を表示することを特徴とする。
【００１７】
請求項３に記載された測定装置を用いたパラメータ設定方法は、それぞれに設定画面２１が存在し、測定内容に応じて装置本体１１に選択的に着脱可能に装着される複数のモジュール２を備えた測定装置１を用いたパラメータ設定方法において、
前記装置本体に装着されたモジュールの中から指定されるモジュールの設定画面を表示画面５ａに表示するステップと、
前記表示画面に表示される設定画面の複数のパラメータの中から特定のパラメータを識別表示するステップと、
前記複数のモジュールにまたがるパラメータが設定可能なユーザカスタマイズ画面２３に対し、前記識別表示された特定のパラメータから選択された特定のパラメータを追加パラメータとして追加するステップとを含むことを特徴とする。
【００１８】
請求項４に記載された測定装置を用いたパラメータ設定方法は、請求項３の測定装置を用いたパラメータ設定方法において、
前記特定のパラメータが追加パラメータとして前記ユーザカスタマイズ画面２３に追加されたときに、その旨を通知するトーストメッセージ２４を表示するステップを含むことを特徴とする。
【発明の効果】
【００１９】
本発明によれば、複数のモジュールにまたがるパラメータを設定する際に、モジュールの設定画面とユーザカスタマイズ画面との間におけるパラメータの対応関係が認識しやく、ユーザにとって使い勝手の良い測定装置を提供することができる。
【図面の簡単な説明】
【００２０】
【図１】本発明に係る測定装置の概略構成を示すブロック図である。
【図２】本発明に係る測定装置の外観の一例を示す斜視図である。
【図３】本発明に係る測定装置のモジュールの設定画面の表示状態の一例を示す図である。
【図４】（ａ）図３のモジュールの設定画面の部分拡大図である。  （ｂ）トーストメッセージの一例を示す図である。
【図５】本発明に係る測定装置のユーザカスタマイズ画面の表示状態の一例を示す図である。
【図６】ユーザカスタマイズ画面の一例を示す図である。
【図７】（ａ）図６のユーザカスタマイズ画面において空きの機能ボタンに機能を割り当てる際に表示される機能設定画面の一例を示す図である。  （ｂ）実際のモジュールの設定画面の部分拡大図である。
【図８】図６のユーザカスタマイズ画面において空きの機能ボタンに機能を割り当てた状態を示す図である。
【発明を実施するための形態】
【００２１】
以下、本発明を実施するための形態について、添付した図面を参照しながら詳細に説明する。
【００２２】
図１に示すように、本実施の形態の測定装置としての誤り率測定装置１は、複数のモジュール２、設定入力部３、記憶部４、表示部５、制御部６を含んで概略構成され、被測定物Ｗに既知のパターン信号を入力し、このパターン信号の入力に伴って被測定物Ｗから受信した入力データとパターン信号との比較に基づく誤り率の測定を含め、規格に基づく被測定物Ｗの各種測定を行う機能を有する。
【００２３】
複数のモジュール２は、図１に示すように、送信モジュール２ａと受信モジュール２ｂとを含む。複数のモジュール２は、例えば、パターン発生モジュール、誤り測定モジュール、変調信号発生モジュール、ジッタモジュール、エンファシスモジュール、多重変換モジュール、逆多重変換モジュールなどで構成され、試験内容に応じたパラメータを設定するためのモジュールごとの固有の設定画面が存在する。
【００２４】
複数のモジュール２は、図２に示す矩形状の筐体からなる装置本体１１の側面部の開口部１１ａ内に備えた不図示の複数のスロットに対して着脱可能であり、被測定物Ｗの測定内容に応じて必要な数だけ選択して装着される。すなわち、様々な形態で規格に基づく被測定物Ｗの各種測定を行うため、測定内容に応じて選択される複数のモジュール２の増設、取り外し、組み換えが可能となっている。
【００２５】
複数のモジュール２は、スロットに装着した状態において、記憶部４や制御部６を実装した制御回路基板（不図示）と電気的に接続される。また、制御回路基板には設定入力部３や表示部５なども配線接続される。
【００２６】
設定入力部３は、ユーザによって操作される例えば、キー、スイッチ、ボタン、表示部５の表示画面５ａ上のソフトキー、カーソルキー、矢印キー、スライダーボタン、タブなどで構成され、被測定物Ｗの測定開始や停止の指示、図３に示す設定画面２１を表示するモジュール２の指定、設定画面２１上のパラメータの設定／変更／参照、図５に示すユーザカスタマイズ画面２３の表示、ユーザカスタマイズ画面２３上のパラメータの設定／変更／削除／参照などを行う際に操作される。
【００２７】
記憶部４は、設定画面２１で設定したパラメータ（例えば、中心周波数、変調周波数、振幅、エンファシス量など）、ユーザカスタマイズ画面２３に追加可能な特定のパラメータ、ユーザカスタマイズ画面２３で設定したパラメータ、被測定物Ｗに送信されるパターン信号の発生時間や発生回数、測定結果など、被測定物Ｗの測定や測定結果に関する各種情報を記憶する。
【００２８】
表示部５は、例えば、図２に示す装置本体１１の前面に装備された液晶表示器などで構成される。表示部５は、制御部６の制御により、図３や図４（ａ）に示すような設定画面２１を表示画面５ａ上に表示する。設定画面２１は、表示部５の一つの表示画面５ａ上に表示され、装置本体１１に装着された複数のモジュール２の中から設定入力部３にて指定されたモジュール２のパラメータ設定を行う画面である。
【００２９】
図３および図４（ａ）は、複数のモジュール２から「Ｕｎｉｔ１：６：１  ＭＵ１８１０００Ｂ」を指定し、「１２．５ＧＨｚ  ４Ｐｏｒｔ  Ｓｙｎｔｈｅｓｉｚｅｒ」のパラメータ設定を行うときの設定画面２１を示している。この設定画面２１には、図４（ａ）に示すように、「Ｏｐｅｒａｔｉｏｎ  Ｆｒｅｑｕｅｎｃｙ」、「Ｒｅｆｅｒｅｎｃｅ  Ｃｌｏｃｋ」、「Ｓｐｅｃｔｒｕｍ  Ｓｐｒｅａｄ」がパラメータ項目３１（３１ａ，３１ｂ，３１ｃ）として表示される。また、設定画面２１には、パラメータ項目３１ａ，３１ｂ，３１ｃの各パラメータ３２（「Ｏｐｅｒａｒａｔｉｏｎ」３２ａ、「Ｃｅｎｔｅｒ  Ｆｒｅｑｕｅｎｃｙ」３２ｂ、「Ｏｆｆｓｅｔ」３２ｃ、「Ｓｏｕｒｃｅ」３２ｄ、「ＳＳＣ」３２ｅ、「Ｓｐｒｅａｄ  Ｍｅｈｔｏｄ３２ｆ」）に対応してパラメータ値を入力するための入力ボックス３３（３３ａ，３３ｂ，３３ｃ，３３ｄ，３３ｅ，３３ｆ）が表示される。
【００３０】
表示部５は、上述した設定画面２１を表示画面５ａに表示する際、制御部６の制御により、設定画面２１の複数のパラメータの中から特定のパラメータ（ユーザカスタマイズ画面２３に追加可能なパラメータ）のみを他のパラメータと区別できるように識別ラベル２２にて識別表示する。具体的には、ユーザカスタマイズ画面２３に追加可能な特定のパラメータを下線部付きの色付きラベル（識別ラベル２２）で識別表示する。例えば図３や図４（ａ）に示すように、設定画面２１のパラメータ項目「Ｏｐｅｒａｔｉｏｎ  Ｆｒｅｑｕｅｎｃｙ」において点線で囲まれたパラメータ「Ｃｅｎｔｅｒ  Ｆｒｅｑｕｅｎｃｙ」、「Ｏｆｆｓｅｔ」を特定のパラメータとして下線部付きの青ラベル（識別ラベル２２）で識別表示する。なお、特定のパラメータは、他のパラメータと識別できる形態であれば良く、下線部付きの色付きラベルに限定されるものではない。
【００３１】
特定のパラメータは、ユーザが一つの表示画面５ａ上で見たいユーザカスタマイズ画面２３に追加可能な複数のモジュール２にまたがるパラメータであり、予め測定内容に応じて設定される。
【００３２】
表示部５は、制御部６の制御により、設定画面２１上に識別表示された所望の特定のパラメータが追加パラメータとしてユーザカスタマイズ画面２３の一覧に追加されると、その旨をユーザに通知するための例えば図４（ｂ）に示すようなトーストメッセージ２４を表示する。図４（ｂ）のトーストメッセージ２４では、選択したパラメータがユーザカスタマイズ画面２３に追加され、設定画面２１の右上のスライダーボタン３ａを操作（タップ又はクリック操作）することでユーザカスタマイズ画面２３が確認できる旨を英語表記によりユーザに通知している。
【００３３】
なお、トーストメッセージ２４は、図４（ｂ）に示すような英語表記に限定されるものではなく、使用するユーザや地域に応じた言語表記に適宜切り替えて表示することができる。
【００３４】
表示部５は、設定画面２１上に識別表示された所望の特定のパラメータが選択されてユーザカスタマイズ画面２３に追加された状態で、設定入力部３を所定操作（例えばトーストメッセージ２４に基づく設定画面２１の右上のスライダーボタン２１ａのタップ又はクリック操作）すると、制御部６の制御により、図５に示すようなユーザカスタマイズ画面２３を設定画面２１の上にスライド表示する。このユーザカスタマイズ画面２３には、追加された特定のパラメータの追加パラメータ項目４１と入力ボックス４２が一覧表示される。
【００３５】
図５のユーザカスタマイズ画面２３では、「１：４：１  ＭＵ１８３０４０Ａ  Ｄａｔａ  Ｉｎｐｕｔ」、「１：５：１  ＭＵ１８３０２０Ａ  Ｏｕｔｐｕｔ  Ｏｆｆｓｅｔ」、「１：２：１  ＭＵ１８１０００Ａ  Ｃｅｎｔｅｒ  Ｆｒｅｑｕｅｎｃｙ」が追加パラメータ項目４１（４１ａ，４１ｂ，４１ｃ）として一覧に追加表示され、これら追加パラメータ項目４１ａ，４１ｂ，４１ｃにおける追加パラメータのパラメータ値を入力するための入力ボックス４２（４２ａ，４２ｂ，４２ｃ）が表示される。
【００３６】
ユーザカスタマイズ画面２３に追加された追加パラメータ項目４１（４１ａ，４１ｂ，４１ｃ）のパラメータは、各追加パラメータ項目４１ａ，４１ｂ，４１ｃごとに表示されたチェックボックス４３（４３ａ，４３ｂ，４３ｃ）にチェックを入れた状態で「Ｄｅｌｅｔｅ」の消去ボタン４４を押下することで消去が可能となっている。
【００３７】
なお、表示部６は、装置本体１１とは別体のモニタ装置（表示機能を備えた端末装置を含む）とし、制御回路基板との間を電気的に接続する構成としてもよい。
【００３８】
制御部５は、規格に基づく所望の測定（例えば被測定物Ｗの誤り率の測定）を行うにあたって、複数のモジュール２、設定入力部３、記憶部４、表示部５を統括制御するものであり、表示制御手段６ａ、パラメータ追加制御手段６ｂを含んで構成される。
【００３９】
表示制御手段６ａは、表示部５の表示画面５ａに対して設定画面２１やユーザカスタマイズ画面２３の表示制御を行う。すなわち、表示制御手段６ａは、装置本体１１に装着されたモジュール２の中から指定されるモジュール２の設定画面２１を表示部５の表示画面５ａに表示し、表示画面５ａに表示される設定画面２１の複数のパラメータ２の中から特定のパラメータを識別ラベル２２にて識別表示するように表示部５の表示を制御する。
【００４０】
また、表示制御手段６ａは、設定画面２１上に識別表示された所望の特定のパラメータが追加パラメータとしてユーザカスタマイズ画面２３の一覧に追加されると、その旨をユーザに通知するトーストメッセージ２４を設定画面２１上に表示するように表示部５の表示を制御する。
【００４１】
パラメータ追加制御手段６ｂは、設定画面２１上に識別表示された特定のパラメータから所望の特定のパラメータが選択されると、選択された特定のパラメータを追加パラメータとしてユーザカスタマイズ画面２３に追加するように制御する。
【００４２】
次に、上記のように構成される誤り率測定装置１を用いたパラメータ設定方法として、ユーザカスタマイズ画面２３に特定のパラメータを追加する方法について説明する。ここでは、被測定物Ｗにテスト信号を入力して誤り率を測定する際に、１２．５ＧＨｚの４ポートのシンセサイザの中心周波数を所望の特定のパラメータとし、この中心周波数を追加パラメータとしてユーザカスタマイズ画面２３に追加する場合を例にとって説明する。
【００４３】
まず、複数のモジュール２の中から１２．５ＧＨｚの４ポートのシンセサイザを含むモジュール２を設定入力部３にて指定する。１２．５ＧＨｚの４ポートのシンセサイザを含むモジュール２として、「Ｕｎｉｔ１：６：１  ＭＵ１８１０００Ｂ」が指定されると、図３に示す設定画面２１を表示する。
【００４４】
図３に示す設定画面２１では、ユーザカスタマイズ画面２３に追加可能なパラメータとして、パラメータ「Ｃｅｎｔｅｒ  Ｆｒｅｑｕｅｎｃｙ」と「Ｏｆｆｓｅｔ」が例えば下線部付きの青ラベルによる識別ラベル２２にて他のパラメータと識別表示される。この状態で、中心周波数を示すパラメータ「Ｃｅｎｔｅｒ  Ｆｒｅｑｕｅｎｃｙ」を選択すると、パラメータ「Ｃｅｎｔｅｒ  Ｆｒｅｑｕｅｎｃｙ」が追加パラメータとしてユーザカスタマイズ画面２３の一覧に追加される。その際、選択したパラメータ「Ｃｅｎｔｅｒ  Ｆｒｅｑｕｅｎｃｙ」が追加パラメータとしてユーザカスタマイズ画面２３の一覧に追加された旨をユーザに通知するため、図４（ｂ）に示すようなトーストメッセージ２４が設定画面２１上に表示される。このトーストメッセージ２４は、数秒かけて徐々に消えていく。
【００４５】
そして、図３の設定画面２１において、右上のスライダーボタン３ａを操作（タップ操作又はクリック操作）すると、図５に示すように、追加パラメータの一覧を示すユーザカスタマイズ画面２３が設定画面２１上にスライド表示される。図５のユーザカスタマイズ画面２３には、点線で示すように、追加対象の中心周波数を示すパラメータ「Ｃｅｎｔｅｒ  Ｆｒｅｑｕｅｎｃｙ」が追加パラメータとしてユーザカスタマイズ画面２３の一覧に追加されている。以上の操作により、１２．５ＧＨｚの４ポートのシンセサイザの中心周波数が追加パラメータとしてユーザカスタマイズ画面２３に追加される。
【００４６】
このように、本実施の形態では、装置本体１１に装着されたモジュール２の中から指定されるモジュール２の設定画面２１を表示部５の表示画面５ａに表示し、この表示画面５ａに表示される設定画面２１の複数のパラメータの中から特定のパラメータ（ユーザカスタマイズ画面２３に追加可能なパラメータ）を識別ラベル２２にて識別表示する。
【００４７】
そして、識別表示された特定のパラメータから所望の特定のパラメータを選択すると、選択した特定のパラメータを追加パラメータとしてユーザカスタマイズ画面２３の一覧に追加し、その旨がトーストメッセージ２４の表示によってユーザに通知される。
【００４８】
そして、スライダーボタン３ａを操作（タップ操作又はクリック操作）すると、ユーザカスタマイズ画面２３が設定画面２１上にスライド表示される。これにより、ユーザは自分が選択した特定のパラメータが追加パラメータとしてユーザカスタマイズ画面２３に追加されたか否かをスライダーボタン３ａを操作（タップ操作又はクリック操作）し、識別表示されたパラメータを見るだけで容易に確認することができ、複数のモジュール２にまたがるパラメータの設定（参照を含む）をユーザカスタマイズ画面２３で行う際に、ユーザカスタマイズ画面２３にあるパラメータがモジュール２の設定画面２１のどのパラメータに相当するか分かりやすくなる。その結果、モジュール２の設定画面とユーザカスタマイズ画面２３との間におけるパラメータの対応関係が認識しやく、ユーザにとって使い勝手の良い測定装置を提供することができる。
【００４９】
ところで、上述した実施の形態では、本発明が採用される測定装置として、被測定物Ｗにテスト信号を入力して誤り率を測定する誤り率測定装置１を例にとって説明したが、これに限定されるものではない。すなわち、本発明は、それぞれに設定画面が存在し、測定内容に応じて装置本体に選択的に着脱可能に装着される複数のモジュールを備えた測定装置のパラメータを設定する場合に採用することができる。
【００５０】
以上、本発明に係る測定装置及び該装置を用いたパラメータ設定方法の最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００５１】
１  誤り率測定装置（測定装置）
２  複数のモジュール
２ａ  送信モジュール
２ｂ  受信モジュール
３  設定入力部
３ａ  スライダーボタン
４  記憶部
５  表示部
５ａ  表示画面
６  制御部
６ａ  表示制御手段
６ｂ  パラメータ追加制御手段
１１  装置本体
１１ａ  開口部
２１  設定画面
２２  識別ラベル
２３  ユーザカスタマイズ画面
２４  トーストメッセージ
３１（３１ａ，３１ｂ，３１ｃ）  パラメータ項目
３２（３２ａ，３２ｂ，３２ｃ，３２ｄ，３２ｅ，３２ｆ）  パラメータ
３３（３３ａ，３３ｂ，３３ｃ，３３ｄ，３３ｅ，３３ｆ）  入力ボックス
４１（４１ａ，４１ｂ，４１ｃ）  追加パラメータ項目
４２（４２ａ，４２ｂ，４２ｃ）  入力ボックス
４３（４３ａ，４３ｂ，４３ｃ）  チェックボックス
４４  消去ボタン
５１  ユーザカスタマイズ画面
５２（５２ａ，５２ｂ，５２ｃ，５２ｄ，５２ｅ，５２ｆ）  機能ボタン
５３（５３ａ，５３ｂ，５３ｃ，５３ｄ，５３ｆ）  入力ボックス
５４  機能選択画面
５５  入力ボックス
５６  機能一覧
５７  確定ボタン
５８  設定画面
Ｗ  被測定物
【図１】
2018072263.tif 000003
【図２】
2018072263.tif 000004
【図３】
2018072263.tif 000005
【図４】
2018072263.tif 000006
【図５】
2018072263.tif 000007
【図６】
2018072263.tif 000008
【図７】
2018072263.tif 000009
【図８】
2018072263.tif 000010